(57)【要約】【課題】室内の空気汚れが増加しているのか減少しているのか判らず使用者に十分な情報を伝えきれていないという課題があり、室内の環境を時系列でモニターすることができる空気清浄機を提供することを目的としている。【解決手段】室内の空気汚れを検出する汚れ検出手段として光学式の粉塵センサー６Ａからの検出レベルを時系列的に汚れ表示部７に表示するようにし、現在から数分前または数十分前までの汚れレベルを表示することで使用者が汚れの変化状況を認識することができる。【選択図】図１
2010240555.tif 000002
【特許請求の範囲】
【請求項１】
空気を吸い込む吸気口と、前記吸気口から吸気した空気を清浄化する清浄化手段と、前記清浄化手段に通風する送風手段と、清浄された空気を室内に吹出すための吹出し手段と、空気汚れを検出する汚れ検出手段と、検知した汚れを表示する表示手段を備えた空気清浄機において、現在までの空気の汚れ量の変化を視覚的に表示させる制御手段を備えた空気清浄機。
【請求項２】
制御手段は一定期間の汚れ量の変化を時系列に同時に表示できるようにしたことを特徴とする請求項１記載の空気清浄機。
【請求項３】
制御手段は一定期間の汚れ量の変化を時系列に切り替えて表示できるようにしたことを特徴とする請求項１記載の空気清浄機。
【請求項４】
制御手段は時系列に同時に表示する汚れ量の変化の期間を選択できるようにしたことを特徴とする請求項１または２記載の空気清浄機。
【請求項５】
制御手段は時系列に切り替えて表示する汚れ量の変化の期間を選択できるようにしたことを特徴とする請求項１または３記載の空気清浄機。
【請求項６】
制御手段は汚れ量の変化の表示を消灯することができるようにしたことを特徴とする請求項１記載の空気清浄機。
【請求項７】
室内の光量を検出する光検知手段を設け、光量が少なくなると汚れ量の変化の表示を暗くするようにした制御手段を設けた請求項１記載の空気清浄機。
【請求項８】
制御手段は光検知手段から検出される光量が規定値以下になると汚れ量の変化の表示を消灯するようにしたことを特徴とする請求項７記載の空気清浄機。
【請求項９】
汚れ検出手段として粉塵を検出する粉塵検出器と、臭いを検出する臭い検出器を設け、それぞれの汚れ変化を切り替えて表示させる制御手段を備えた請求項１記載の空気清浄機。
【請求項１０】
湿度を検出する湿度検知手段を備え、制御手段は現在までの湿度変化を視覚的に表示させることができる請求項１記載の空気清浄機。
【請求項１１】
制御手段は湿度変化の表示と汚れ量の変化の表示を切り替えて表示させることを特徴とする請求項１０記載の空気清浄機。
【請求項１２】
制御手段は湿度検知手段からの湿度変化と汚れ検出手段からの汚れ量の変化を比べ、変化量の大きい方を表示することを特徴とする請求項１０記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、清浄化手段を通して清浄化する空気清浄機に関するものである。
【背景技術】
【０００２】
従来、この種の空気清浄機は下記に記載されたものが知られている。
【０００３】
以下その空気清浄機について図１３および図１４を用いて説明する。図に示すように、空気清浄機の本体１０１には、前面パネル１０２が設けられ、空気を清浄化するためのフィルター１０４と、フィルター１０４に通風するファンモータ１０５と、このファンモータ１０５を運転制御する制御部１０６を備えている。また、本体１０１の側面には室内の空気汚れを検出する光学式の粉塵センサー１０７と、正面左部には汚れレベルを表示する表示モニター１０８が設けられている。
【０００４】
上記構成において、粉塵センサー１０７が汚れを検出したとき、制御部１０６は粉塵センサー１０７からの信号の大小によりファンモータ１０５の回転数を変えて通風量を変化させると同時に表示モニター１０８に粉塵量を表示しながら室内の汚れに対応した清浄化運転を行ない、使用者は表示モニターを見ることで室内の粉塵量を知ることができる（例えば、特許文献１参照）。
【特許文献１】特許第２７５８６５５号公報
【発明の開示】
【発明が解決しようとする課題】
【０００５】
このような従来の空気清浄機では、室内の粉塵量が増加しているのか減少しているのか判らず使用者に十分な情報を伝えきれていないという課題があり、室内の粉塵量の変化状況をお知らせすることが要求されている。
【０００６】
また、粉塵量の変化状況の表示期間を使用者が選択できることが要求されている。
【０００７】
また、表示部が夜間などに煩わしいという課題があり、消灯できるようにすることが要求されている。
【０００８】
また、夜間などに表示を消灯することが煩わしいという課題があり、自動的に暗くなったり、消灯することが要求されている。
【０００９】
また、粉塵量だけでなく他の環境も表示することが要求されている。
【００１０】
また、他の環境を表示する場合は使用者が自由に切り替えて選択できることが要求されている。
【００１１】
また、大きな変化があった場合には自動的にその表示に切り替わることが要求されている。
【００１２】
本発明は、このような従来の課題を解決するものであり、室内の環境を時系列でモニターすることができる空気清浄機を提供することを目的としている。
【課題を解決するための手段】
【００１３】
本発明の空気清浄機は上記目的を達成するために、空気を吸い込む吸気口と、前記吸気口から吸気した空気を清浄化する清浄化手段と、前記清浄化手段に通風する送風手段と、清浄された空気を室内に吹出すための吹出し手段と、空気汚れを検出する汚れ検出手段と、検知した汚れを表示する表示手段を備えた空気清浄機において、現在までの汚れ量の変化を視覚的に表示させる制御部を備えたものである。
【００１４】
この手段により室内の現在の汚れ状況だけでなく汚れ量の変化の状況を見せるようにすることで室内の汚れ具合や除塵状況がわかり清浄効果を実感できる空気清浄機が得られる。
【００１５】
また、本発明の空気清浄機は上記目的を達成するために、制御部は一定期間の汚れ量の変化を時系列に同時に表示できるようにしたものである。
【００１６】
この手段により過去から一定期間の汚れ量の変化状況を一目で認識できるのでより清浄効果を実感できる空気清浄機が得られる。
【００１７】
また、本発明の空気清浄機は上記目的を達成するために、制御部は一定期間の汚れ量の変化を時系列に切り替えて表示できるようにしたものである。
【００１８】
この手段により過去からの汚れ量の変化の状況を切り替えながらも認識できるので清浄効果を実感できる空気清浄機が得られる。
【００１９】
また、本発明の空気清浄機は上記目的を達成するために、制御部は時系列に同時に表示する汚れ量の変化の期間を選択できるようにしたものである。
【００２０】
この手段により使用者が確認したい範囲に表示期間を設定できるのでより使い勝手の向上した空気清浄機が得られる。
【００２１】
また、本発明の空気清浄機は上記目的を達成するために、制御部は時系列に切り替えて表示する汚れ量の変化の期間を選択できるようにしたものである。
【００２２】
この手段により使用者が確認したい範囲に表示期間を設定できるのでより使い勝手の向上した空気清浄機が得られる。
【００２３】
また、本発明の空気清浄機は上記目的を達成するために、制御部は汚れ量の変化の表示を消灯することができるようにしたものである。
【００２４】
この手段により夜間などに表示が煩わしい場合でも消灯することができるのでより使い勝手を向上した空気清浄機が得られる。
【００２５】
また、本発明の空気清浄機は上記目的を達成するために、室内の光量を検出する光検知手段を設け、光量が少なくなると汚れ量の変化の表示を暗くするようにしたものである。
【００２６】
この手段により夜間など暗くなると自動的に表示も暗くなるので使用者が煩わしさを感じることの無い空気清浄機が得られる。
【００２７】
また、本発明の空気清浄機は上記目的を達成するために、制御部は光検知手段から検出される光量が規定値以下になると汚れ量の変化の表示を消灯するようにしたものである。
【００２８】
この手段により就寝する時のような照明を消して場合には汚れ量の変化の表示も消灯するので無駄な電力を消費しない空気清浄機が得られる。
【００２９】
また、本発明の空気清浄機は上記目的を達成するために、汚れ検出手段として粉塵を検出する粉塵検出器と、臭いを検出する臭い検出器を設け、それぞれの汚れ量の変化を切り替えて表示させる制御部を備えたものである。
【００３０】
この手段により粉塵汚れだけでなく臭いも合わせて汚れ量の変化を表示できるのでより室内環境を認識することができる空気清浄機が得られる。
【００３１】
また、本発明の空気清浄機は上記目的を達成するために、湿度を検出する湿度検知手段を備え、制御部は現在までの湿度変化を視覚的に表示させることができるものである。
【００３２】
この手段により空気汚れだけでなく湿度変化も表示することができるのでより使い勝手の良い空気清浄機が得られる。
【００３３】
また、本発明の空気清浄機は上記目的を達成するために、制御部は湿度変化の表示と空気汚れ変化の表示を切り替えて表示させることができるものである。
【００３４】
この手段により空気汚れ変化も湿度変化も表示することができるのでより使い勝手の良い空気清浄機が得られる。
【００３５】
また、本発明の空気清浄機は上記目的を達成するために、制御部は湿度検知手段からの湿度変化と汚れ検出手段からの汚れ変化を比べ、変化量の大きい方を表示するものである。
【００３６】
この手段により室内環境に変化があった場合に自動的にその表示を見ることができるのでより使い勝手の良い空気清浄機が得られる。
【発明の効果】
【００３７】
本発明によれば、室内の現在の汚れ状況だけでなく空気の汚れ量の変化状況を見せるようにすることで室内の汚れ具合や除塵状況がわかり効果を実感できるという効果のある空気清浄機を提供できる。
【００３８】
また、過去からの汚れ変化の状況を一目で認識できるのでより清浄効果を実感できるという効果のある空気清浄機を提供できる。
【００３９】
また、過去からの汚れ量の変化状況を切り替えながらも認識できるので少ない表示場所であっても清浄効果を実感できるという効果のある空気清浄機を提供できる。
【００４０】
また、使用者が確認したい範囲に表示期間を設定できるので２４時間での変化や１時間での変化等自由に選択して一目で見ることができるという効果のある空気清浄機を提供できる。
【００４１】
また、使用者が確認したい範囲に表示期間を設定できるので少ない表示場所であっても表示期間を自由に選択して確認できるという効果のある空気清浄機を提供できる。
【００４２】
また、夜間などに表示が煩わしい場合でも消灯することができるので無駄な電力を消費しないという効果のある空気清浄機を提供できる。
【００４３】
また、夜間など暗くなると自動的に表示も暗くなるので使用者が煩わしさを感じることが無いという効果のある空気清浄機を提供できる。
【００４４】
また、就寝する時のような照明を消して場合には汚れ量の変化の表示も消灯するので無駄な電力を消費しないという効果のある空気清浄機を提供できる。
【００４５】
また、粉塵汚れだけでなく臭いも合わせて汚れ量の変化を表示できるのでより室内環境を認識できるという効果のある空気清浄機を提供できる。
【００４６】
また、空気汚れだけでなく湿度変化も表示することができるのでより室内環境を認識できるという効果のある空気清浄機が提供できる。
【００４７】
また、空気汚れ変化も湿度変化も切り替えて表示することができるので使用者が好む環境を選択できるという効果のある空気清浄機が提供できる。
【００４８】
また、室内環境に変化があった場合に自動的にその表示が選択されるので使用者が切り替えて確認する必要がないという効果のある空気清浄機が提供できる。
【発明を実施するための最良の形態】
【００４９】
本発明の請求項１記載の発明は空気を吸い込む吸気口と、前記吸気口から吸気した空気を清浄化する清浄化手段と、前記清浄化手段に通風する送風手段と、清浄された空気を室内に吹出すための吹出し手段と、空気汚れを検出する汚れ検出手段と、検知した汚れを表示する表示手段を備えた空気清浄機において、現在までの空気の汚れ量の変化を視覚的に表示させる制御手段を備えたものであり、室内の現在の汚れ状況だけでなく空気の汚れ量の変化状況を見せるようにすることで室内の汚れ具合や除塵状況がわかるという作用を有する。
【００５０】
また、制御部は一定期間の汚れ変化状態を時系列に同時に表示できるようにしたものであり、過去からの汚れ量の変化状況を一目で認識できるという作用を有する。
【００５１】
また、制御部は一定期間の汚れ量の変化状態を時系列に切り替えて表示できるようにしたものであり、過去からの汚れ量の変化状況を切り替えながらも認識できるという作用を有する。
【００５２】
また、制御部は時系列に同時に表示する汚れ量の変化状態の期間を選択できるようにしたものであり、使用者が確認したい範囲に表示期間を設定して汚れ量の変化状態を確認できるという作用を有する。
【００５３】
また、制御部は時系列に切り替えて表示する汚れ量の変化状態の期間を選択できるようにしたものであり、使用者が確認したい範囲に表示期間を設定して汚れ量の変化状態を確認できるという作用を有する。
【００５４】
また、制御部は汚れ量の変化の表示を消灯することができるようにしたものであり、夜間などに表示を消灯することにより煩わしさが解消できるという作用を有する。
【００５５】
また、室内の光量を検出する光検知手段を設け、光量が少なくなると汚れ量の変化の表示を暗くするようにしたものであり、夜間など暗くなると自動的に表示も暗くなるので使用者が煩わしさを感じることが無いという作用を有する。
【００５６】
また、制御部は光検知手段から検出される光量が規定値以下になると汚れ量の変化の表示を消灯するようにしたものであり、就寝する時のような照明を消して場合には汚れ量の変化の表示も消灯するので無駄な電力を消費しないという作用を有する。
【００５７】
また、汚れ検出手段として粉塵を検出する粉塵検出器と、臭いを検出する臭い検出器を設け、それぞれの汚れ量の変化を切り替えて表示させる制御部を備えたものであり、粉塵汚れだけでなく臭いも合わせて汚れ量の変化を表示できるのでより室内環境を認識することできるという作用を有する。
【００５８】
また、湿度を検出する湿度検知手段を備え、制御部は現在までの湿度変化を視覚的に表示させることができるものであり、空気汚れだけでなく湿度変化も表示することができるという作用を有する。
【００５９】
また、制御部は湿度変化の表示と空気の汚れ量の変化の表示を切り替えて表示させることができるものであり、汚れ量の変化も湿度変化も表示することができるという作用を有する。
【００６０】
また、制御部は湿度検知手段からの湿度変化と汚れ検出手段からの汚れ変化を比べ、変化量の大きい方を表示するものであり、室内環境に変化があった場合に自動的にその表示を見ることができるという作用を有する。
【００６１】
以下、本発明の実施の形態について図面を参照しながら説明する。
【００６２】
（実施の形態１）
図１〜図５に示すように、空気清浄機の本体１は略箱形に形成され、本体１の正面にはフロントパネルを設け、本体１の側面に吸気口２、本体１内には空気を清浄化するためフィルター３と、このフィルター３に通風するファンモータ４が備えられ、本体１天面には吹出部５が設けられている。ファンモータ４の駆動により吸気口２から空気が吸い込まれ、フィルター３を通って清浄された後、吹出部５から吹出される。
【００６３】
本体１側面には汚れ検出手段として光学式の粉塵センサー６Ａを備えた粉塵検出部６が設けられており、本体１の正面上部には粉塵検出部６にて検出された粉塵量を表示する汚れ表示部７と操作部８が設けられ、制御部９に演算部１０を設けている。
【００６４】
制御部９により、汚れ表示部７は粉塵検出部６で検出された空気の汚れの量を５段階に分け５連で表示するようになっている。
【００６５】
上記構成において、制御部９は粉塵検出部６が空気の汚れを検出するとあらかじめ決められた汚れ量と比較して決定された汚れレベルを汚れ表示部７の１連目に表示する。その１０秒後に粉塵検出部６にて検出された空気汚れから決定される汚れレベルを１連目に表示し、同時に前回１連目に表示した汚れレベルを２連目に表示する。次の１０秒後には２連目の汚れレベル表示を３連目に、１連目の汚れレベル表示を２連目にそれぞれ移動させ、今回検出した汚れレベルを１連目に表示する。
【００６６】
このように１０秒毎に検出される汚れレベルを１連目に表示し、同時に２連目以降に表示レベルを順番に移動させていき５連目まで表示する。
【００６７】
以上のように、１０秒毎に空気汚れを移動させながら表示しているので、現在までの空気の汚れ量の変化として、現在から４０秒前までの空気汚れの変化を１連目、２連目、・・５連目というように視覚的に表示して、その変化を一目でわかるように表示することで空気清浄機による室内空気の清浄の効果を知ることができる。
【００６８】
また本実施例では５連の表示部を設けて汚れレベルの変化を見せているが、１連のみで表示を切り替えながら汚れレベルを見せても良い。
【００６９】
また本実施例では１０秒毎に汚れレベル表示を切り替えたが１分毎でも１時間毎でも良く、その時間を切り替える操作スイッチを設けて切り替えられるようにしても良い。
【００７０】
（実施の形態２）
本実施の形態は前記実施の形態１に対して室内の光量を検出する光検知手段１１を設けたものであるため、同一構成のものは同一番号を付して詳しい説明は省略する。
【００７１】
図６に示すように光検知手段１１から検出される光量に対して予め規定された５段階の基準レベルがあり、最も明るいレベルが５で、最も暗いレベルが１としている。またその基準レベルに対応して汚れ表示部７の照度レベルも５段階に決められており、全点灯レベルが５で、最も暗いレベルを１としている。
【００７２】
まず制御部９は光検知手段１１から検出された光量レベルが５の時、汚れ表示部７の照度レベルも５に設定している。次に光検知手段１１から検出された光量レベルが３になると汚れ表示部７の照度レベルも３に移行する。
【００７３】
以上のように室内の明るさを検知して暗くなると空気汚れ表示も暗くして使用者の煩わしさを解消することができる。
【００７４】
また本実施例では汚れ表示部７の照度を暗くしただけであったが、室内の光量が極端に減少した場合は就寝と判断して汚れ表示部７を消灯するようにしても良い。
【００７５】
また、本実施例では光検知手段１１を設けて汚れ表示部７の照度を変更したが操作スイッチを設けて汚れ表示部の照度を変更できるようにしても良い。
【００７６】
（実施の形態３）
本実施の形態は前記実施の形態１に対して、汚れ検出手段としてニオイを検出するニオイ検出部１２を設けたもので同一構成のものは同一番号を付して詳しい説明は省略する。
【００７７】
図８〜図１０に示すように制御部９は予めニオイの基準レベルを５段階に分け、ニオイ検出部１２からのニオイ検出レベルに対応した５段階の汚れ表示をおこなうものである。
【００７８】
まず制御部９は粉塵検出部６が空気の汚れを検出するとあらかじめ決められた汚れ量と比較して決定された汚れレベルを汚れ表示部７の１連目に表示する。その１０秒後に粉塵検出部６にて検出された空気汚れから決定される汚れレベルを１連目に表示し、同時に前回１連目に表示した汚れレベルを２連目に表示する。次の１０秒後には２連目の汚れレベル表示を３連目に、１連目の汚れレベル表示を２連目にそれぞれ移動させ、今回検出した汚れレベルを１連目に表示する。
【００７９】
このように１０秒毎に検出される汚れレベルを１連目に表示し、同時に２連目以降に表示レベルを順番に移動させていき５連目まで表示する。
【００８０】
これをニオイ検出部１２に対しても同様に内部処理として実施しており、１分経過後に汚れ表示部７にニオイ検出部１２から検出した汚れレベルを表示させる。その１分後には粉塵検出部６から検出した汚れレベルを表示させる。以後１分毎に表示を交互に切り替えるようにするものである。
【００８１】
以上のように室内の粉塵汚れレベル状況とニオイ汚れレベル状況を交互に認識できる。
【００８２】
（実施も形態４）
本実施の形態は前記実施の形態１に対して、湿度を検出する湿度検出部１３を設けたもので同一構成のものは同一番号を付して詳しい説明は省略する。
【００８３】
図１１に示すように制御部９は予め湿度の基準レベルを５段階に分け、湿度検出部１３からの湿度検出レベルに対応した５段階の湿度表示をおこなうものである。
【００８４】
まず制御部９は湿度検出部１３が室内の湿度を検出するとあらかじめ決められた湿度量と比較して決定された湿度レベルを汚れ表示部７の１連目に表示する。その１０秒後に湿度検出部１３にて検出された室内の湿度から決定される湿度レベルを１連目に表示し、同時に前回１連目に表示した湿度レベルを２連目に表示する。次の１０秒後には２連目の湿度レベル表示を３連目に、１連目の湿度レベル表示を２連目にそれぞれ移動させ、今回検出した湿度レベルを１連目に表示する。
【００８５】
このように１０秒毎に検出される湿度レベルを１連目に表示し、同時に２連目以降に表示レベルを順番に移動させていき５連目まで表示する。
【００８６】
以上のように、１０秒毎に室内湿度を移動させながら表示しているので現在から４０秒前までの室内湿度の変化が一目でわかり湿度変化を知ることができる。
【００８７】
また本実施の形態では湿度表示のみ記載したが、粉塵汚れやニオイ汚れと交互に表示するようにしても良い。
【００８８】
また本実施の形態では表示する対象について優先順位を設けていないが、湿度量変化と粉塵量変化とニオイ量変化を比べて最も変化量の大きいものを表示するようにしても良い。
【産業上の利用可能性】
【００８９】
室内環境の変化を見えるようにするので温度変化をともなうエアコンや暖房機の運転制御にも適用できる。
【図面の簡単な説明】
【００９０】
【図１】本発明の実施の形態１の空気清浄機の一部破断の外観斜視図
【図２】同制御ブロック図
【図３】同制御フローチャート
【図４】同粉塵検出部の検出レベル値に対する汚れ表示の相関図
【図５】同空気清浄機の汚れ表示部の表示状態遷移図（（イ）現在の汚れ表示部を示す図、（ロ）１０秒後の汚れ表示部を示す図、（ハ）２０秒後の汚れ表示部を示す図）
【図６】本発明の実施の形態２の制御ブロック図
【図７】同制御フローチャート
【図８】本発明の実施の形態３の制御ブロック図
【図９】同ニオイ検出部の検出レベル値に対する汚れ表示の相関図
【図１０】同制御フローチャート
【図１１】本発明の実施の形態４の制御ブロック図
【図１２】同湿度検出部の検出レベル値に対する湿度表示の相関図
【図１３】同制御フローチャート
【図１４】従来の空気清浄機の外観斜視図
【図１５】同検出部の汚れレベル値に対する汚れ表示の相関図
【図１６】同制御フローチャート
【符号の説明】
【００９１】
１  本体
２  吸気口
３  フィルター（清浄化手段）
４  ファンモータ（送風手段）
５  吹出部
６  粉塵検出部（汚れ検出手段）
７  汚れ表示部（汚れ表示手段）
８  操作部
【図１】
2010240555.tif 000003
【図２】
2010240555.tif 000004
【図３】
2010240555.tif 000005
【図４】
2010240555.tif 000006
【図５】
2010240555.tif 000007
【図６】
2010240555.tif 000008
【図７】
2010240555.tif 000009
【図８】
2010240555.tif 000010
【図９】
2010240555.tif 000011
【図１０】
2010240555.tif 000012
【図１１】
2010240555.tif 000013
【図１２】
2010240555.tif 000014
【図１３】
2010240555.tif 000015
【図１４】
2010240555.tif 000016
【図１５】
2010240555.tif 000017
【図１６】
2010240555.tif 000018